(57)【要約】 【課題】表示された画像から宛先情報を簡易に生成することのできる画像表示装置、宛先情報生成方法、宛先情報生成プログラム、および、この宛先情報生成プログラムを記録したコンピュータ読取可能な記録媒体を提供すること。【解決手段】リアプロジェクタは、光学装置と、制御手段と、ＲＡＭとを備え、制御手段は、表示された画像をＲＡＭに記憶する画像記憶部４５２と、記憶された画像の中に、文字列と認められる文字列情報が存在するか否かを判別する文字列情報判別部４５３と、文字列情報の中に所在地情報が含まれていることを示す識別情報を探索する識別情報探索部４５４と、所在地情報を抽出する所在地情報抽出部４５５と、抽出された所在地情報に基づいて宛先情報を生成する宛先情報生成部４５６とを備えている。【選択図】 図４
2006237835.tif 000002
【特許請求の範囲】
【請求項１】
入力された画像情報に応じた画像を表示する画像表示手段と、この画像表示手段を含む装置全体の駆動制御を行う制御手段とを備えた画像表示装置であって、
前記画像表示手段に表示された画像を記憶する記憶手段を備え、
前記制御手段は、
前記画像表示手段に表示された画像を取り込んで、前記記憶手段に記憶する画像記憶部と、
記憶された前記画像の中に、文字列と認められる文字列情報が存在するか否かを判別する文字列情報判別部と、
前記文字列情報が存在すると判別されると、前記文字列情報の中に所在地情報が含まれていることを示す識別情報を探索する識別情報探索部と、
前記識別情報が探索されると、前記所在地情報を抽出する所在地情報抽出部と、
抽出された前記所在地情報に基づいて宛先情報を生成する宛先情報生成部とを備えていることを特徴とする画像表示装置。
【請求項２】
請求項１に記載の画像表示装置において、
前記宛先情報生成部は、前記宛先情報を印刷用紙に適した位置に位置調整することを特徴とする画像表示装置。
【請求項３】
請求項１または請求項２に記載の画像表示装置において、
郵便番号と、この郵便番号に対応した住所情報とが蓄積されたルックアップテーブルを備え、
前記制御手段は、
前記所在地情報に含まれる郵便番号に対応する住所情報を、前記ルックアップテーブルから選択する所在地情報選択部を備えていることを特徴とする画像表示装置。
【請求項４】
入力された画像情報に応じた画像を表示する画像表示手段と、この画像表示手段に表示された画像を記憶する記憶手段と、前記画像表示手段を含む装置全体の駆動制御を行う制御手段とを備えた画像表示装置に用いられ、前記画像に含まれる所在地情報から宛先情報を生成する宛先情報生成方法であって、
前記制御手段に、
前記画像表示手段に表示された画像を取り込んで、前記記憶手段に記憶する画像記憶ステップと、
記憶された前記画像の中に、文字列と認められる文字列情報が存在するか否かを判別する文字列情報判別ステップと、
前記文字列情報が存在すると判別されると、前記文字列情報の中に所在地情報が含まれていることを示す識別情報を探索する識別情報探索ステップと、
前記識別情報が探索されると、前記所在地情報を抽出する所在地情報抽出ステップと、
抽出された前記所在地情報に基づいて宛先情報を生成する宛先情報生成ステップとを実行させることを特徴とする宛先情報生成方法。
【請求項５】
入力された画像情報に応じた画像を表示する画像表示手段と、この画像表示手段に表示された画像を記憶する記憶手段と、前記画像表示手段を含む装置全体の駆動制御を行う制御手段とを備えた画像表示装置に用いられ、前記画像に含まれる所在地情報から宛先情報を生成するために、前記制御手段上で実行可能な宛先情報生成プログラムであって、
前記制御手段に、
前記画像表示手段に表示された画像を取り込んで、前記記憶手段に記憶する画像記憶ステップと、
記憶された前記画像の中に、文字列と認められる文字列情報が存在するか否かを判別する文字列情報判別ステップと、
前記文字列情報が存在すると判別されると、前記文字列情報の中に前記所在地情報が含まれていることを示す識別情報を探索する識別情報探索ステップと、
前記識別情報が探索されると、前記所在地情報を抽出する所在地情報抽出ステップと、
抽出された前記所在地情報に基づいて宛先情報を生成する宛先情報生成ステップとを実行させることを特徴とする宛先情報生成プログラム。
【請求項６】
請求項５に記載の宛先情報生成プログラムを記録したことを特徴とするコンピュータ読取可能な記録媒体。
【発明の詳細な説明】
【技術分野】
【０００１】
本発明は、画像表示装置、この画像表示装置上で実行される宛先情報生成方法、宛先情報生成プログラム、および、この宛先情報生成プログラムを記録したコンピュータ読取可能な記録媒体に関する。
【背景技術】
【０００２】
従来、テレビジョン放送等の放送媒体を通じて、懸賞の応募広告が提供されている。このうち、テレビジョン放送を通じて提供される懸賞応募広告は、一般的に、テレビジョン受信機の画面上に表示されることにより、視聴者に提供されている。
また、このような懸賞のうち、懸賞の応募方法に応募はがきの郵送が指定されている場合、懸賞応募広告には、応募先の郵便番号、住所、宛名等が示されていることが多い。
【０００３】
応募者が、このようにテレビジョン放送を通じて告知された懸賞に応募するには、まず、テレビジョン受信機の画面上に表示された懸賞応募広告を見ながら、応募先の住所等を書きとめる。次に、応募者は、用意したはがきに、応募要項（応募先の住所等に加えて、応募者の郵便番号、住所および氏名、さらに、懸賞催行主から指定された要項など）を記入する。そして、応募者は、作成した応募はがきを投函する。
【０００４】
しかし、応募者にとっては、応募要項を応募はがきに書き込む作業が煩雑であり、さらに、応募者が、応募先の住所等を間違ってはがきに記入する可能性も考えられる。
加えて、このようなテレビジョン放送を通じて提供される懸賞応募広告は、不定期に放送されることが多く、さらに、画面に表示される時間が比較的短いため、応募者は、応募要項を最後まで書きとめることが困難となる。
このように、画像表示装置に表示された懸賞応募広告に応じて、応募者が、応募はがきを作成する作業には、煩雑かつ困難な作業が伴うという課題がある。
【０００５】
このような課題に対し、応募はがきの作成作業の手間を低減できる懸賞応募装置が提案されている（例えば、特許文献１。）
特許文献１に記載の懸賞応募装置は、まず、懸賞応募広告を構成するテレビジョン放送信号に含まれたパイロット信号を手がかりに、当該懸賞応募広告に含まれた応募先の住所等を検索する。さらに、懸賞応募装置は、検索された宛先情報を取得してテキストファイルとして生成し、このテキストファイルをはがきに印刷させることで、応募はがきを作成する。
【０００６】
【特許文献１】特開２０００−１９６５４５号公報
【発明の開示】
【発明が解決しようとする課題】
【０００７】
しかし、パイロット信号は、デジタルテレビジョン放送信号には含まれるが、近年最も使用されているアナログテレビジョン放送信号には含まれていない。このため、特許文献１に記載の懸賞応募装置では、アナログテレビジョン放送信号によって提供される懸賞応募広告に対して、当該懸賞応募広告に含まれる宛先情報を取得することはできないという課題がある。
さらに、懸賞応募広告が、ＶＨＳ（Video Home System）、および、ＤＶＤ(Digital Versatile Disk)等の記録媒体に記録され、画像表示装置により再生された画像に含まれている場合がある。この場合においても、特許文献１の懸賞応募装置は、当該画像の再生にパイロット信号が関与していないことから、当該懸賞応募広告から宛先情報を取得することはできないという課題がある。
【０００８】
本発明の目的は、表示された画像から宛先情報を簡易に生成することのできる画像表示装置、宛先情報生成方法、宛先情報生成プログラム、および、この宛先情報生成プログラムを記録した記録媒体を提供することである。
【課題を解決するための手段】
【０００９】
前記した目的を達成するために、本発明の画像表示装置は、入力された画像情報に応じた画像を表示する画像表示手段と、この画像表示手段を含む装置全体の駆動制御を行う制御手段とを備えた画像表示装置であって、前記画像表示手段に表示された画像を記憶する記憶手段を備え、前記制御手段は、前記画像表示手段に表示された画像を取り込んで、前記記憶手段に記憶する画像記憶部と、記憶された前記画像の中に、文字列と認められる文字列情報が存在するか否かを判別する文字列情報判別部と、前記文字列情報が存在すると判別されると、前記文字列情報の中に所在地情報が含まれていることを示す識別情報を探索する識別情報探索部と、前記識別情報が探索されると、前記所在地情報を抽出する所在地情報抽出部と、抽出された前記所在地情報に基づいて宛先情報を生成する宛先情報生成部とを備えていることを特徴とする。
【００１０】
このような画像表示装置として、テレビジョン受信装置、モニタ付デジタルカメラ、モニタ付プリンタ、および、モニタ付携帯電話、リアプロジェクタ、携帯ゲーム機等が挙げられる。また、画像情報として、アナログ／デジタルテレビジョン放送信号に含まれる画像情報や、ビデオ装置、デジタルカメラおよび記録媒体等の外部機器から入力される画像情報等が挙げられる。
【００１１】
ここで、所在地情報とは、画像表示手段に表示された画像に含まれる特定の文字列であり、すなわち、所在地情報は、画像として存在している。一方、宛先情報は、キャラクターコードで表されている。
【００１２】
本発明によれば、画像表示装置は、画像表示手段に表示した画像から所在地情報を特定して抽出するので、宛先情報を生成するために、画像表示装置に入力される画像情報の入力形態が限定されることはない。すなわち、画像表示装置は、入力される画像情報の入力形態に関係なく、入力する画像情報に応じて表示された画像から宛先情報を生成することができる。従って、画像表示装置に表示された画像から宛先情報を簡易に生成することができる。
また、本発明の画像表示装置は、表示された画像から宛先情報を生成することとなるので、使用者が、画像表示装置に表示された画像の内容を把握する作業、例えば、当該画像の内容を書きとめたり、暗記したりする必要性を無くすことができる。従って、宛先情報を生成するための使用者の作業を簡略化することができる。
【００１３】
さらに、画像表示装置は、抽出した所在地情報から宛先情報を生成する際に、キャラクターコードで生成することとなる。このような場合、使用者が、生成された宛先情報を、例えば、画像表示装置に接続された記憶媒体等へ記録したり、生成後の宛先情報を修正したりすることができる。従って、利便性の良い宛先情報を生成することができる。
加えて、画像記憶部は、画像表示装置に表示された画像を取り込んで記憶し、この取り込んだ画像から宛先情報を生成するので、制御手段は、画像の表示時間が短くとも、所在地情報の特定、抽出を支障なく行うことができる。
【００１４】
本発明では、前記宛先情報生成部は、前記宛先情報を印刷用紙に適した位置に位置調整することが好ましい。
本発明によれば、宛先情報は、宛先情報生成部により印刷用紙に適した位置に調節される。これによれば、宛先情報をプリンタ等に出力して、当該宛先情報を印刷用紙に印刷させることにより、宛先情報を紙に記入する使用者の作業を簡略化することができる。
【００１５】
本発明では、郵便番号と、この郵便番号に対応した住所情報とが蓄積されたルックアップテーブルを備え、前記制御手段は、前記所在地情報に含まれる郵便番号に対応する住所情報を、前記ルックアップテーブルから選択する所在地情報選択部を備えていることが好ましい。
本発明によれば、所在地情報選択部がルックアップテーブルを参照することによって、郵便番号から、所在地情報に含まれる住所情報を特定することができる。従って、宛先情報生成部により所在地情報に基づく宛先情報を生成する際に、所在地情報の信頼性を向上させることができる。
【００１６】
本発明は、前述した画像表示装置だけでなく、宛先情報生成方法としても構成することができる。
すなわち、本発明の宛先情報生成方法は、入力された画像情報に応じた画像を表示する画像表示手段と、この画像表示手段に表示された画像を記憶する記憶手段と、前記画像表示手段を含む装置全体の駆動制御を行う制御手段とを備えた画像表示装置に用いられ、前記画像に含まれる所在地情報から宛先情報を生成する宛先情報生成方法であって、前記制御手段に、前記画像表示手段に表示された前記画像を取り込んで、前記記憶手段に記憶する画像記憶ステップと、記憶された前記画像の中に、文字列と認められる文字列情報が存在するか否かを判別する文字列情報判別ステップと、前記文字列情報が存在すると判別されると、前記文字列情報の中に前記所在地情報が含まれていることを示す識別情報を探索する識別情報探索ステップと、前記識別情報が探索されると、前記所在地情報を抽出する所在地情報抽出ステップと、抽出された前記所在地情報に基づいて宛先情報を生成する宛先情報生成ステップとを実行させることを特徴とする。
【００１７】
本発明によれば、本発明の宛先情報生成方法を任意の画像表示装置に採用することにより、前述した画像表示装置の作用および効果を享受できる宛先情報の生成を行うことができる。従って、宛先情報の生成を簡易に行うことができるので、汎用性を拡大することができる。
【００１８】
また、本発明は、画像音声再生方法の発明を画像表示装置上で実行させるプログラムとしても構成することができる。
すなわち、本発明の画像音声再生プログラムは、入力された画像情報に応じた画像を表示する画像表示手段と、この画像表示手段に表示された画像を記憶する記憶手段と、前記画像表示手段を含む装置全体の駆動制御を行う制御手段とを備えた画像表示装置に用いられ、前記画像に含まれる所在地情報から宛先情報を生成するために、前記制御手段上で実行可能な宛先情報生成プログラムであって、前記制御手段に、前記画像表示手段に表示された前記画像を取り込んで、前記記憶手段に記憶する画像記憶ステップと、記憶された前記画像の中に、文字列と認められる文字列情報が存在するか否かを判別する文字列情報判別ステップと、前記文字列情報が存在すると判別されると、前記文字列情報の中に前記所在地情報が含まれていることを示す識別情報を探索する識別情報探索ステップと、前記識別情報が探索されると、前記所在地情報を抽出する所在地情報抽出ステップと、抽出された前記所在地情報に基づいて宛先情報を生成する宛先情報生成ステップとを実行させることを特徴とする。
【００１９】
本発明によれば、本発明をプログラムとして構成することにより、任意の画像表示装置を、前述した作用および効果を享受できる画像表示装置とすることができるので、汎用性を拡大することができる。
【００２０】
本発明の記録媒体は、請求項５に記載の宛先情報生成プログラムをコンピュータ読取可能に記録したことを特徴とする。
ここで、記録媒体として、ＲＯＭ（Read Only Memory）、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等が挙げられる。
本発明によれば、記録媒体にコンピュータ読取可能に記録された宛先情報生成プログラムをコンピュータが実行することで、前述した作用および効果を享受できる。
【発明を実施するための最良の形態】
【００２１】
以下、本発明の一実施形態を、図１〜図５に基づいて説明する。
本実施形態では、画像表示装置としてリアプロジェクタ１を採用する。リアプロジェクタ１は、光源から射出された光束を、入力する画像情報に応じて変調して光学像を形成し、形成した光学像を、リアプロジェクタ１に設けられた透光性のスクリーン１３に拡大投写するものである。
【００２２】
（１）リアプロジェクタ１の外観構成
図１は、本実施形態のリアプロジェクタ１およびメモリカード６を示す正面図である。
本実施形態のリアプロジェクタ１は、リアプロジェクタ本体１１と、リモートコントローラ１２とを備えている。
このうち、リモートコントローラ１２は、複数の操作ボタン１６を配設している。操作ボタン１６は、操作に応じた操作信号をリアプロジェクタ本体１１に出力する。この操作信号の出力によって、リモートコントローラ１２は、リアプロジェクタ本体１１の遠隔制御を行うことができる。
このような操作ボタン１６としては、具体的には、電源ボタン、音量調節ボタンおよびチャンネル選択ボタン等に加えて、キャプチャーボタン１６１と、操作メニューボタン１６２とが設けられている。キャプチャーボタン１６１は、使用者の操作に応じて、画像記憶信号をリアプロジェクタ本体１１に出力する。操作メニューボタン１６２は、使用者の操作に応じて、宛先情報生成、印刷、はがき印刷等の操作メニューを選択、実行し、各操作メニューの操作信号をリアプロジェクタ本体１１に出力する。
【００２３】
リアプロジェクタ本体１１は、装置全体を覆う合成樹脂製の筐体を備え、筐体正面には、スクリーン１３と、操作パネル１４と、フロントインターフェイス１５と、プリント送出口３１とを備え、筐体背面には、リアインターフェイス（図示省略）とを備えている。
スクリーン１３は、筐体正面に露出して設けられており、後述する光学装置２から射出された光学像が拡大投写される。スクリーン１３は、フレネルレンズシート、レンチキュラーレンズシート、ガラス板等の保護板（図示省略）を備えて構成されている。
【００２４】
操作パネル１４には、電源スイッチ、音量調節スイッチおよびチャンネル切替スイッチ等の複数の操作スイッチが配設されている。これら操作スイッチは、操作に応じた操作信号を制御基板４（図３）に出力する。
フロントインターフェイス１５では、リアプロジェクタ本体１１と外部機器とが接続され、両者の間でデータおよび信号の入出力が行われる。フロントインターフェイス１５には、メモリスロット１５１と、接続端子部１５２とが設けられている。メモリスロット１５１は、メモリカード６等の半導体記憶媒体を接続することができる。接続端子部１５２には、ＰＣ（Personal Computer）接続端子としてのＤ−Ｓｕｂ端子、ステレオ音声入力端子およびＳ端子等が配設されており、ＰＣ、プリンタおよびデジタルビデオ等を、プロジェクタ本体１１に接続させることができる。
【００２５】
リアインターフェイスには、ＰＣ接続端子としてのＤＶＩ（Digital Visual Interface）端子、アンテナ入力端子、および、複数系統のビデオ・音声入出力端子等が配設されており、リアプロジェクタ本体１１と、アンテナおよびビデオ装置等とを接続することができる。このうち、アンテナ入力端子には、アンテナ（図示省略）が受信したアナログ／デジタルテレビジョン放送信号が入力される。
これら操作パネル１４、フロントインターフェイス１５、および、リアインターフェイスは、後述する制御基板４（図３）に電気的に接続されている。
プリント送出口３１は、このプリント送出口３１の内部に設けられたプリンタ３（図３）で印刷された印刷用紙を、筐体外部へ送出するための開口である。
メモリカード６は、フラッシュメモリを採用したカード型の記憶媒体であり、情報の書込、参照、更新、消去を行うことができる。他にも、記憶媒体として、ＥＥＰＲＯＭ（Electrically Erasable Programmable Read-Only Memory）を有するメモリカード、磁気ディスク装置、光ディスク装置等を採用してもよい。
【００２６】
（２）広告画像７
図２は、リアプロジェクタ１のスクリーン１３に表示された広告画像７を示す図である。
広告画像７は、ある懸賞の賞品や応募締切日、応募方法等の応募要項を一般に告知し、当該懸賞の応募を募ることを目的としている。
この図２に示した広告画像７は、リアプロジェクタ１のアンテナ入力端子から入力されたアナログテレビジョン放送信号に応じて光学装置２により形成され、スクリーン１３に投写されているものである。
【００２７】
このような広告画像７には、図２に示すように、所在地情報７２を含んだ応募要項が示されている。この応募要項は、文字列で示されており、本発明の文字列情報７１に相当する。
当該懸賞では、応募要項に示されるように、はがきの郵送による応募を採用しているため、所在地情報７２には、郵便記号７２１と、郵便番号７２２と、住所７２３と、宛名７２４とが示されている。また、宛名７２４は、「係」の称号７２５で締められている。称号７２５として、他にも、「部」や「課」、「担当」等が挙げられる。
郵便記号７２１および称号７２５は、所在地情報７２の先頭および末尾に配置されており、本発明の識別情報に相当する。
【００２８】
（３）リアプロジェクタ本体１１の内部構成
図３は、リアプロジェクタ本体１１の内部構成を示すブロック図である。
リアプロジェクタ本体１１内には、図３に示すように、光学装置２と、プリンタ３と、音声出力装置５と、電源装置（図示省略）と、フロントインターフェイス１５と、これらの駆動制御を行う制御基板４とが配置されている。
光学装置２は、本発明の画像表示手段に相当し、図示は省略するが、光源装置から射出された光束を、液晶パネルにより入力する画像情報に応じて変調して光学像を形成し、当該形成した光学像を投写レンズにより反射ミラー（図示省略）を介して、スクリーン１３に拡大投写するものである。
【００２９】
プリンタ３は、後述する制御基板４から入力された印刷情報に応じた画像や文字等を印刷用紙へ印刷するものである。印刷された印刷用紙は、プリント送出口３１（図１）から筐体外部へ送出される。このようなプリンタ３には、インクカセット（図示省略）と印刷用紙（図示省略）とが予めセットされている。なお、本実施形態では、印刷用紙として、官製はがきがセットされている。
音声出力装置５は、制御基板４から入力された音声情報に応じた音声を出力する。
電源装置は、図示は省略するが、外部から入力する交流電流を直流変換して、リアプロジェクタ本体１１を構成する各電子部品に、駆動電力を供給する。
【００３０】
制御基板４は、本発明の制御手段に相当し、ＣＰＵ（Central Processing Unit）等を備えた回路基板として構成されている。制御基板４は、アンテナ入力端子およびフロントインターフェイス１５から入力された画像情報および音声情報と、リモートコントローラ１２の操作ボタン１６、および、操作パネル１４の操作スイッチからの操作信号とを処理して、光学装置２を含むリアプロジェクタ本体１１全体の駆動制御を行う。
この制御基板４は、チューナ４１と、デマルチプレクサ４２と、画像信号処理回路４３と、音声信号処理回路４４と、ＣＰＵ４５と、ＲＯＭ（Read Only Memory）４６と、ＲＡＭ（Random Access Memory）４７と、アナログ／デジタル変換器（Ａ／Ｄ変換器）４８と、ドライバＩＣ４９と、ドライバＩＣ５０とを備えて構成され、これらがバスＢを介して互いに接続されている。
【００３１】
チューナ４１は、アンテナから入力されるアナログ／デジタルテレビジョン放送信号から、使用者が選択したチャンネルに応じた周波数の放送信号を選択して受信し、一定周波数の信号に変換して出力する。
デマルチプレクサ４２は、チューナ４１により変換された信号から、画像情報および音声情報を分離、抽出し、抽出した画像情報を画像信号処理回路４３に出力し、同じく抽出した音声情報を音声信号処理回路４４に出力する。
画像信号処理回路４３は、デマルチプレクサ４２で分離された画像情報、および、フロントインターフェイス１５を介して入力する画像情報を処理して、画像形成可能な画像信号を生成し、後述するドライバＩＣ４９を介して光学装置２に出力する。
音声信号処理回路４４は、デマルチプレクサ４２で分離された音声情報、および、フロントインターフェイス１５を介して入力する音声情報を処理して、当該音声情報に応じた音声を出力する。
【００３２】
ＲＯＭ４６は、ＣＰＵ４５によって処理されるプログラムや各種情報が格納されている。具体的には、ＲＯＭ４６には、リアプロジェクタ制御プログラム、宛先情報生成プログラム、および、文字テーブル４６１等が格納されている。文字テーブル４６１には、アナログ形式で表された文字を特定するための文字パターンが蓄積されている。
【００３３】
ＲＡＭ４７は、ＣＰＵ４５の作業メモリとして利用され、必要に応じて、ＲＯＭ４６の制御データおよびプログラム等が一時的に書き込まれる。
Ａ／Ｄ変換器４８は、リモートコントローラ１２に配設された操作ボタン１６（図１）、および、操作パネル１４（図１）に配設された操作スイッチから入力されたアナログ形式の操作信号を、デジタル形式の操作信号に変換して出力する。
ドライバＩＣ４９は、ＣＰＵ４５から入力する画像信号に基づいて、光学装置２の駆動制御を行い、光学装置２による画像形成を実行させる。
ドライバＩＣ５０は、ＣＰＵ４５から入力する印刷制御信号に基づいて、プリンタ３の駆動制御を行う。
【００３４】
図４は、ＣＰＵ４５の構成を詳細に示すブロック図である。
ＣＰＵ４５は、図４に示すように、宛先情報作成系４５１と、主制御系４５７とから構成される。
宛先情報作成系４５１は、スクリーン１３（図１）に表示された画像から宛先情報を作成する。宛先情報作成系４５１は、画像記憶部４５２と、文字列情報判別部４５３と、識別情報探索部４５４と、所在地情報抽出部４５５と、宛先情報生成部４５６とを含んで構成されている。
【００３５】
画像記憶部４５２は、キャプチャーボタン１６１（図１）の操作に応じて出力された画像記憶信号を受信すると、その受信時に光学装置２が表示している画像、本実施形態では図２に示す広告画像７を取り込んで、ＲＡＭ４５に記憶する。
文字列情報判別部４５３は、リモートコントローラ１２に配設された操作メニューボタン１６２（図１）が出力した宛先情報生成信号を受信すると、画像記憶部４５２によりＲＡＭ４５に記憶された広告画像７の中に、文字列と認められる文字列情報７１（図２）が存在するか否かを判別する。文字列情報判別部４５３により広告画像７の中に文字列情報７１が存在すると判別すると、文字列情報判別部４５３は、文字列情報が存在する旨を示す文字列情報特定信号を、識別情報探索部４５４に出力する。
【００３６】
識別情報探索部４５４は、文字列情報判別部４５３から文字列情報特定信号を受信すると、この文字列情報７１の中に所在地情報７２（図２）が含まれていることを示す識別情報としての郵便記号７２１（図２）、および、称号７２５（図２）を探索する。郵便記号７２１および称号７２５が探索されると、識別情報探索部４５４は、識別情報が探索された旨を示す識別情報探索信号を、所在地情報抽出部４５５に出力する。
【００３７】
所在地情報抽出部４５５は、識別情報探索部４５４から識別情報探索信号を受信すると、この郵便記号７２１と称号７２５とに挟まれた文字列を所在地情報７２として抽出し、この所在地情報７２を所在地情報信号として宛先情報生成部４５６に出力する。
【００３８】
宛先情報生成部４５６は、所在地情報抽出部４５５から所在地情報信号を受信すると、所在地情報信号に含まれる所在地情報７２に基づき、宛先情報を生成する。
ここで、宛先情報生成部４５６は、所在地情報７２である郵便番号７２２、住所７２３、宛名７２４および称号７２５を、キャラクターコードに変換する。
具体的には、宛先情報生成部４５６は、画像として取込まれた所在地情報７２の各文字を、文字テーブル４６１に含まれる文字パターンと照合することにより、各文字を特定する。そして、宛先情報生成部４５６は、特定した各文字に対応するキャラクターコードを生成する。
【００３９】
さらに、宛先情報生成部４５６は、操作メニューボタン１６２の操作に応じて出力されたはがき印刷信号を受信すると、生成した宛先情報のレイアウトを、官製はがきへの印刷に適した形に調整する。
なお、宛先情報は、キャラクターコードで生成されているので、フロントインターフェイス１５を介して接続されたメモリカード６等に記録させることもできる。
この宛先情報作成系４５１による駆動制御は、ＲＯＭ４６に格納された宛先情報生成プログラムに基づいて行われる。
【００４０】
主制御系４５７は、宛先情報作成系４５１により生成された宛先情報を出力する。主制御系４５７は、画像形成制御部４５８と、印刷制御部４５９とから構成されている。
このうち、画像形成制御部４５８は、ドライバＩＣ４９に画像信号を出力して、宛先情報作成系４５１により生成された宛先情報を、光学装置２によりスクリーン１３に表示させる。
また、印刷制御部４５９は、操作メニューボタン１６２の操作に応じて出力された印刷信号、または、はがき印刷信号を受信すると、ドライバＩＣ５０に印刷制御信号を出力し、宛先情報作成系４５１により生成された宛先情報を、プリンタ３により印刷用紙または官製はがきに印刷する。
【００４１】
（４）制御基板４の作用
図５は、宛先情報を生成するために制御基板４が実行する作用を示す図である。
ここで、本実施形態の制御基板４の作用について、図５に示されるフローチャートに基づいて説明する。
リアプロジェクタ１には、アンテナが受信したアナログテレビジョン放送信号がアンテナ入力端子から入力しており、リアプロジェクタ１は、当該放送信号に応じた画像を光学装置２により形成して、スクリーン１３に表示させている。
使用者は、リアプロジェクタ１でテレビジョン放送を視聴している際に、懸賞の応募要項を告知する広告画像７（図２）が放送されると、この広告画像７がスクリーン１３に表示されている間に、リモートコントローラ１２に配設されたキャプチャーボタン１６１を押す。
ここで、制御基板４の画像記憶部４５２は、画像記憶信号を受信したか否かを判定している（Ｓ１）。画像記憶信号を受信していないと判定した場合、画像記憶部４５２は、画像記憶信号の受信状況の監視を続行する。
一方、画像記憶信号を受信したと判定した場合、ＣＰＵ４５は、ＲＯＭ４６から宛先情報生成プログラムを読込んで、宛先情報生成処理を開始する。具体的には、ＣＰＵ４５の画像記憶部４５２が、画像記憶信号の受信時に、光学装置２によりスクリーン１３に表示されている画像、すなわち広告画像７を取り込んでＲＡＭ４７に記憶する（Ｓ２）。
【００４２】
次に、使用者は、リモートコントローラ１２に配設された操作メニューボタン１６２を操作して、宛先情報生成メニューを選択し実行する。
ここで、文字列情報判別部４５３は、宛先情報生成信号を受信したか否かを判定している（Ｓ３）。文字列情報判別部４５３が、宛先情報生成信号を受信していないと判定した場合、制御基板４は、宛先情報生成処理を行わない。
【００４３】
一方、宛先情報生成信号を受信したと判定した場合、文字列情報判別部４５３は、画像記憶部４５２によりＲＡＭ４７に記憶されていた広告画像７を読込んで、この広告画像７の中に文字列情報７１が存在するか否かを判定する（Ｓ４）。
ここで、文字列情報判別部４５３が、広告画像７の中に文字列情報７１が存在しないと判定した場合には、画像形成制御部４５８は、光学装置２によりスクリーン１３上にエラーメッセージ「エラー：宛先情報を特定できません。」を表示させる。そして、制御基板４は、宛先情報生成処理を終了する。
【００４４】
一方、文字列情報判別部４５３が、広告画像７の中に文字列情報７１が存在すると判定した場合、識別情報探索部４５４は、文字列情報判別部４５３が判定した文字列情報７１の中から、識別情報としての郵便記号７２１および称号７２５を探索し、当該文字列情報７１の中に郵便記号７２１および称号７２５が存在するか否かを判定する（Ｓ５）。識別情報探索部４５４が、当該文字列情報７１の中に郵便記号７２１および称号７２５が存在しないと判定した場合、画像形成制御部４５８は、光学装置２によりスクリーン１３上にエラーメッセージ「エラー：宛先情報を特定できません。」を表示させる。そして、制御基板４は、宛先情報の生成を終了する。
【００４５】
一方、識別情報探索部４５４が、当該文字列情報７１の中に郵便記号７２１および称号７２５が存在すると判定した場合、所在地情報抽出部４５５は、これら郵便記号７２１および称号７２５に挟まれた文字列情報７１、すなわち所在地情報７２を読込む（Ｓ６）。
次に、宛先情報生成部４５６は、所在地情報抽出部４５５により読込まれた所在地情報７２の各文字を、ＲＯＭ４６に記憶された文字テーブル４６１に参照して特定し、当該所在地情報７２をキャラクターコードとして表された宛先情報に変換する（Ｓ７）。
宛先情報生成部４５６が宛先情報を生成すると、画像形成制御部４５８は、生成された宛先情報を光学装置２によりスクリーン１３に表示させる。
【００４６】
使用者が、広告画像７が告知する懸賞に応募するための応募はがきを作成したい場合、使用者は、リモートコントローラ１２に配設された操作メニューボタン１６２を操作して、はがき印刷メニューを選択し実行する。
ここで、宛先情報生成部４５６は、はがき印刷信号を受信したか否かを判定している（Ｓ８）。宛先情報生成部４５６が、はがき印刷信号を受信していないと判定した場合、制御基板４は、処理を終了する。この後、使用者は、リモートコンロトーら１２に配設された操作ボタン１６（図１）を操作することによって、当該宛先情報を、印刷用紙に印刷したり、メモリスロット１５１に接続されたメモリカード６等に記録したりすることができる。
一方、はがき印刷信号を受信したと判定した場合、宛先情報生成部４５６は、キャラクターコードで表した当該宛先情報のレイアウトを、官製はがきへの印刷に適した形に調整する（Ｓ９）。さらに、宛先情報生成部４５６は、予めＲＡＭ４７に記録されていた差出人情報（差出人の郵便番号、住所、名前等）を、官製はがきに適した配置で、当該宛先情報に付加する（Ｓ１０）。
次に、宛先情報生成部４５６は、レイアウトを調節した当該宛先情報および差出人情報を印刷させる印刷制御信号を、印刷制御部４５９に出力する。
【００４７】
印刷制御部４５９は、宛先情報生成部４５６から印刷制御信号を受信すると、宛先情報生成部により位置調節された当該宛先情報および差出人情報を、プリンタ３により官製はがきの表面に印刷する（Ｓ１１）。
以上のような処理により、使用者は、当該宛先情報および差出人情報が印刷され、プリント送出口３１から送出された応募はがきを受け取ることができる。
【００４８】
本実施形態によれば、リアプロジェクタ１は、光学装置２により表示した画像から所在地情報７２を特定して抽出するので、宛先情報を生成するために、リアプロジェクタ１に入力される画像情報の入力形態が限定されることはない。すなわち、リアプロジェクタ１は、画像情報の入力形態に関係なく、入力する画像情報に応じて表示された画像から宛先情報を生成することができる。従って、リアプロジェクタ１に表示された画像から宛先情報を簡易に生成することができる。
本発明のリアプロジェクタ１は、表示された広告画像７から宛先情報を生成することとなるので、使用者が、リアプロジェクタ１に表示された画像の内容を把握する作業、例えば、広告画像７の内容を書きとめたり、暗記したりする必要性を無くすことができる。従って、宛先情報を生成するための使用者の作業を簡略化することができる。
【００４９】
さらに、リアプロジェクタ１は、抽出した所在地情報７２から宛先情報を生成する際に、キャラクターコードに変換する。このような場合、使用者が、生成された宛先情報を、例えば、リアプロジェクタ１に接続されたメモリカード６等の記録媒体へ記録したり、生成された宛先情報を修正したりすることができる。従って、利便性の良い宛先情報を生成することができる。
加えて、画像記憶部４５２は、リアプロジェクタ１上に表示された広告画像７を取り込んで記憶し、この取り込んだ広告画像７から宛先情報を生成するので、広告画像７の表示時間が短くとも、制御基板４は、所在地情報の特定、抽出を支障なく行うことができる。
【００５０】
本実施形態によれば、宛先情報は、宛先情報生成部４５６により官製はがきに適した位置に調節される。これによれば、宛先情報をプリンタ３に出力して、当該宛先情報を印刷用紙に印刷させることにより、宛先情報を紙に記入する使用者の作業を簡略化することができる。
【００５１】
また、制御基板４が行う宛先情報生成処理をプログラムとして構成することにより、任意の画像表示装置を、前述した作用および効果を享受できる画像表示装置とすることができるので、汎用性を拡大することができる。
【００５２】
（５）前記実施形態の変形
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００５３】
前記実施形態では、画像表示装置としてリアプロジェクタ１を採用したが、本発明では、例えば、プラズマディスプレイ、液晶ディスプレイ、ＣＲＴ（Cathode Ray Tube）ディスプレイ、モニタ付デジタルカメラ、モニタ付プリンタ、および、モニタ付携帯電話等を採用してもよい。
また、前記実施形態では、プリンタ３は、リアプロジェクタ１内に内蔵されているとしたが、画像表示装置に電気的に接続された外部機器としてのプリンタであってもよい。
【００５４】
前記実施形態では、記録媒体としてメモリカード６を用いたが、例えば、ＲＯＭ、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置等を採用してもよい。
前記実施形態では、画像情報として、アナログテレビジョン放送信号を挙げたが、本発明では、例えば、デジタルテレビジョン放送信号、ビデオ入力信号、記録媒体に記録された画像情報等を採用してもよい。
【００５５】
前記実施形態では、所在地情報７２に含まれる住所７２３は、所在地情報抽出部４５５により抽出され、宛先情報生成部４５６によりパターン照合からキャラクターコードを生成するとしたが、次のような手段で住所７２３の特定を行ってもよい。
すなわち、宛先情報生成部４５６に設けられた所在地情報選択部（図示省略）は、所在地情報抽出部４５５により抽出された郵便番号７２２を、予めＲＯＭ４６に記録されたルックアップテーブルとしての郵便番号テーブル（図示省略）に参照して、郵便番号７２２と対応する住所情報としての住所７２３を選択する。そして、宛先情報生成部４５６は、選択された住所７２３のキャラクターコードを、パターン照合から生成された情報に付加する。
このような構成によれば、所在地情報選択部がルックアップテーブルを参照することによって、郵便番号７２２から住所７２３を特定することができる。従って、宛先情報生成部４５６により所在地情報７２に基づく宛先情報を生成する際に、所在地情報７２の信頼性を向上させることができる。
【産業上の利用可能性】
【００５６】
本発明は、テレビジョン放送信号やビデオ入力信号等の画像情報に応じた画像を表示するテレビ受信装置およびリアプロジェクタ等の画像表示装置、この画像表示装置上で実行される宛先情報生成方法、この宛先情報生成方法を実行させる宛先情報生成プログラム、および、このプログラムを記録したコンピュータ読取可能な記録媒体に利用することができる。
【図面の簡単な説明】
【００５７】
【図１】本発明の一実施形態に係るリアプロジェクタを示す正面図。
【図２】前記実施形態に係るテレビジョン放送で提供された広告画像を示す図
【図３】前記実施形態に係るリアプロジェクタ本体の内部構成を示すブロック図。
【図４】前記実施形態に係るＣＰＵの詳細な構成を示すブロック図。
【図５】前記実施形態に係る制御基板の作用を示すフロー図。
【符号の説明】
【００５８】
１…リアプロジェクタ（画像表示装置）、２…光学装置（画像表示手段）、４…制御基板（制御手段）、７…広告画像（画像）、７１…文字列情報、７２…所在地情報、４５２…画像記憶部、４５３…文字列情報判別部、４５４…識別情報探索部、４５５…所在地情報抽出部、４５６…宛先情報生成部、７２１…郵便記号（識別情報）、７２２…郵便番号、７２３…住所（住所情報）、７２５…称号（識別情報）
【図１】
2006237835.tif 000003
【図２】
2006237835.tif 000004
【図３】
2006237835.tif 000005
【図４】
2006237835.tif 000006
【図５】
2006237835.tif 000007